(57)【要約】【課題】  充電に要する時間を短くする。【解決手段】  充電可能な電池と、電源供給路とデータ線とを備えたコネクターと、電源とデータの供給を受けて印刷する印刷機構と、電池から印刷機構への電源供給路に介在された第１ＳＷと、コネクターと印刷機構との間に介在されたデータ線の第２ＳＷと、コネクターのデータ線に接続され、同コネクターの接続先を検知可能で、第１ＳＷと第２ＳＷを切替可能な制御回路とを備え、制御回路は、コネクターが外部のＰＣに接続されている場合に、第１ＳＷで電池から印刷機構への電源供給路を導通させ、第２ＳＷでコネクターのデータ線を印刷機構に接続させ、コネクターが電源アダプタに接続されている場合に、第１ＳＷで電池から印刷機構への電源供給路を非導通とさせ、第２ＳＷでコネクターのデータ線を印刷機構に接続させない。【選択図】  図２
2015189025.tif 000002
【特許請求の範囲】
【請求項１】
充電可能な電池と、
コネクターと、
印刷を実行する印刷機構と、
第１スイッチと、
第２スイッチと、
コネクターの接続先を検知可能で、前記第１スイッチと前記第２スイッチを切り替え可能な制御回路とを備えた印刷装置であって、
前記制御回路は、
前記コネクターが外部のＰＣに接続されていると判断した場合に、前記第１スイッチで前記電池から前記印刷機構への電源供給路を導通させ、前記第２スイッチで前記コネクターのデータ線を前記印刷機構に接続させ、
前記コネクターが電源アダプタに接続されていると判断した場合に、前記第１スイッチで前記電池から前記印刷機構への電源供給路を非導通とさせ、前記第２スイッチで前記コネクターのデータ線を前記印刷機構に接続させないことを特徴とする印刷装置。
【請求項２】
前記印刷機構を起動させる第３スイッチを設け、この第３スイッチが操作されたことに応じて前記制御回路は前記第１スイッチをオンとして前記電池から前記印刷機構への電源供給路を導通させて前記印刷機構をオンとすることを特徴とする請求項１に記載の印刷装置。
【請求項３】
前記制御回路は、前記コネクターが電源アダプタに接続されていると判断した場合に、
前記印刷機構がオンであるとき、
前記第２スイッチで前記コネクターのデータ線を前記印刷機構に接続させないことを特徴とする請求項１または請求項２に記載の印刷装置。
【請求項４】
前記制御回路は、
前記印刷機構がオンであるとき、
前記コネクターが外部のＰＣに接続されていると判断した場合に、
前記コネクターからの電源供給能力が第１の場合には前記電源供給路と前記電池と前記印刷機構に接続させ、
前記コネクターからの電源供給能力が第１の場合よりも小さい第２の場合には前記電源供給路と前記電池に接続せずに前記印刷機構に接続させることを特徴とする請求項１または請求項２に記載の印刷装置。
【請求項５】
前記制御回路は、
前記第２の場合であっても、外部からの補助電源があるときには、前記電源供給路と前記電池と前記印刷機構に接続させることを特徴とする請求項４に記載の印刷装置。
【請求項６】
前記コネクターは、ＵＳＢコネクターであり、
前記制御回路は、
前記印刷機構がオフであるとき、
前記コネクターが外部のＰＣに接続されていると判断した場合に、
前記第１スイッチで前記電池から前記印刷機構への供給路を非導通とさせ、
前記第２スイッチで前記コネクターのデータ線を前記印刷機構と接続させず、
前記コネクターのデータ線を介して同ＰＣに対してヒューマンインターフェイスデバイスクラスとして通知することを特徴とする請求項１または請求項２に記載の印刷装置。
【発明の詳細な説明】
【技術分野】
【０００１】
本発明は、印刷装置に関し、特に、充電電池を備えた印刷装置に関する。
【背景技術】
【０００２】
充電可能な電池を収容する印刷装置が利用されている。
コンピューター（ＰＣ）の周辺装置として、ＰＣからのデータを取得して機能をするとともに、充電電池も備えており、同ＰＣからの電力供給を受けて充電するものとして、特許文献１に示すものが知られている。
特許文献１に示すものでは、データを受信しているか否かを検知し、データを受信していない間に充電電池に充電している。
【先行技術文献】
【特許文献】
【０００３】
【特許文献１】米国特許６３５７０１１号公報
【発明の概要】
【発明が解決しようとする課題】
【０００４】
上述した従来の印刷装置では、データを受信していない間も周辺装置としては機能しているので、限られた電源供給能力では充電に要する時間が長かった。
本発明は、充電に要する時間を短くする。
【課題を解決するための手段】
【０００５】
本発明は、充電可能な電池と、コネクターと、印刷を実行する印刷機構と、第１スイッチと、第２スイッチと、コネクターの接続先を検知可能で、前記第１スイッチと前記第２スイッチを切り替え可能な制御回路とを備えた印刷装置であって、前記制御回路は、前記コネクターが外部のＰＣに接続されていると判断した場合に、前記第１スイッチで前記電池から前記印刷機構への電源供給路を導通させ、前記第２スイッチで前記コネクターのデータ線を前記印刷機構に接続させ、前記コネクターが電源アダプタに接続されていると判断した場合に、前記第１スイッチで前記電池から前記印刷機構への電源供給路を非導通とさせ、前記第２スイッチで前記コネクターのデータ線を前記印刷機構に接続させない構成としてある。
【０００６】
前記構成において、本印刷装置における印刷機構は、電源とデータの供給を受けて印刷する。電池は充電可能であり、電源供給路とデータ線とを備えたコネクターから電源供給を受けて充電が可能となっている。前記電池から前記印刷機構への電源供給路には第１スイッチが介在され、前記コネクターと前記印刷機構との間にはデータ線の第２スイッチが介在されている。制御回路は前記コネクターのデータ線に接続されて同コネクターの接続先を検知可能であり、前記第１スイッチと前記第２スイッチを切り替え可能となっている。
【０００７】
前記コネクターが外部のＰＣに接続されていると前記制御回路が判断した場合、前記制御回路は前記第１スイッチで前記電池から前記印刷機構への供給路を導通させ、前記第２スイッチで前記コネクターのデータ線を前記印刷機構に接続させる。
これにより印刷機構は電源とデータの供給を受けて印刷する。
また、前記コネクターが電源アダプタに接続されていると前記制御回路が判断した場合、前記制御回路は前記第１スイッチで前記電池から前記印刷機構への供給路を非導通とさせ、前記第２スイッチで前記コネクターのデータ線を前記印刷機構に接続させない。
【０００８】
これにより印刷機構は電源の供給路がたたれるので電力を消費せず、その分だけ充電電池への充電は早く完了する。また、データ線を前記印刷機構に接続させないので、誤作動の心配もない。
本発明の他の態様として、前記印刷機構を起動させる第３スイッチを設け、この第３スイッチが操作されたことに応じて前記制御回路は前記第１スイッチをオンとして前記電池から前記印刷機構への電源供給路を導通させて前記印刷機構をオンとする構成としても良い。
本発明の他の態様として、前記制御回路は、前記コネクターが電源アダプタに接続されていると判断した場合に、前記印刷機構がオンであるとき、前記第２スイッチで前記コネクターのデータ線を前記印刷機構に接続させない構成としても良い
本発明の他の態様として、前記制御回路は、前記印刷機構がオンであるとき、前記コネクターが外部のＰＣに接続されていると判断した場合に、前記コネクターからの電源供給能力が第１の場合には前記電源供給路と前記電池と前記印刷機構に接続させ、前記コネクターからの電源供給能力が第１の場合よりも小さい第２の場合には前記電源供給路と前記電池に接続せずに前記印刷機構に接続させる構成としても良い。
本発明の他の態様として、前記制御回路は、前記第２の場合であっても、外部からの補助電源があるときには、前記電源供給路と前記電池と前記印刷機構に接続させる構成としても良い。
本発明の他の態様として、前記コネクターは、ＵＳＢコネクターであり、前記制御回路は、前記印刷機構がオフであるとき、前記コネクターが外部のＰＣに接続されていると判断した場合に、前記第１スイッチで前記電池から前記印刷機構への供給路を非導通とさせ、前記第２スイッチで前記コネクターのデータ線を前記印刷機構と接続させず、前記コネクターのデータ線を介して同ＰＣに対してヒューマンインターフェイスデバイスクラスとして通知する構成としても良い。
【発明の効果】
【０００９】
本発明によれば、印刷機構は電源の供給路がたたれるので電力を消費せず、その分だけ電池への充電は早く完了する。
【図面の簡単な説明】
【００１０】
【図１】本発明の一実施例にかかる印刷装置のブロック図である。
【図２】印刷装置の処理手順のフローチャートである。
【発明を実施するための形態】
【００１１】
以下、図面にもとづいて本発明の実施形態を説明する。
図１は、本発明の一実施形態にかかる印刷装置をブロック図により示している。
同図において、本印刷装置１０は、電源供給路とデータ線とを備えたコネクターとしてＵＳＢコネクター１１を備えている。ＵＳＢコネクター１１の場合、電源供給路としての電源ライン（＋−）（Ｐ，Ｇ）と、データを送受信するためのデータ線（Ｄ＋，Ｄ−）とを備えている。なお、電源ラインは、接続先に応じて電源供給能力が定められている。本実施例では、電源ラインは有線であるが、将来的に無線による電源ラインとなっても構わない。また、本実施例では、ＵＳＢコネクター１１であるが、他の電源供給とデータの送受信とが並行して行われる通信規格のコネクターにも適用可能である。なお、ＵＳＢコネクターの場合は、電源供給能力のネゴシエーションを最初に行うなど、電源管理が可能であり、充電時間の短縮も効果的に行える。
【００１２】
ＵＳＢコネクター１１の電源供給路は充電制御ＩＣ１２に接続されている。充電制御ＩＣ１２は充電可能な充電電池（電池）１３に対する充電の制御とともに印刷機構１４に対する電源供給路を管理する。本実施例においては、印刷機構１４は、印刷ヘッドを往復駆動させ、印刷媒体である印刷用紙を紙送りし、印刷ヘッドから印刷インクを吐出させて行う。印刷機構として様々な機構を採用可能であり、いわゆるラインヘッドを使用し、紙送りだけを行わせることも可能である。インクを吐出するために、圧電素子を使用しているが、瞬間的に気泡を発せさせるバブル素子を使用するものであったりしても良い。データは有線によって供給される場合に加え、無線でデータが供給される場合にも対応し、また、記憶素子カードなどからデータを読み取るものであっても良い。
【００１３】
充電電池１３は電源供給路に対して第４スイッチ１５を介して接続されており、このスイッチ１５がオンとなって導通しているときに充電され、また、印刷機構１４に電源を供給することができる。このため、印刷機構１４は、充電制御ＩＣ１２を介してＵＳＢコネクター１１から供給される電源と、充電電池１３を介して供給される電源の両方または片方から電源を供給されることになる。また、印刷機構１４への電源供給路には、プッシュ式の第３スイッチ１６と、半導体スイッチで構成される第１スイッチ１７が介在されている。
【００１４】
ＵＳＢコネクター１１のデータ線は印刷機構１４に接続されているが、その線路には第２スイッチ１８が介在されている。第２スイッチ１８は、制御回路１９にも接続されており、この制御回路１９はデータ線を介してＵＳＢコネクター１１に接続されている接続先がコンピューター類（以下、単にＰＣと呼ぶ）２０なのか、ＵＳＢコネクター１１を介して電源を供給するためのＡＣアダプタ（電源アダプタ）３０であるのかを判断することが可能（検知可能）である。なお、ここではＡＣアダプタ３０と称しているが、ＡＣ電源のコンセントつながっているものに限らず、ＤＣバッテリーにつながっているものも含む。
【００１５】
制御回路１９は、その判断結果に基づいて、第１スイッチ（第１ＳＷ）１７の導通と非導通、第２スイッチ（第２ＳＷ）１８での接続と非接続、第４スイッチ（第４ＳＷ）１５の導通と非導通の切り替えを制御している。起動のきっかけとするのは第３スイッチ１６であり、制御回路１９が第１スイッチ１７をオンの状態に維持する。
なお、ＵＳＢコネクター１１からの電源供給路に加え、補助的に電源を供給するための外部電源コネクター１１ａが備えられている。外部電源コネクター１１ａにはＡＣアダプタ（補助電源）３１を接続できる。ＡＣアダプタ３０のコネクターはＵＳＢ端子の形状であるのに対し、ＡＣアダプタ３１のコネクターは他の一般的なＡＣアダプタのコネクター形状と同様の円筒形状をしている。外部電源コネクター１１ａから供給される電源はＵＳＢでの電源供給と同じく５Ｖであり、充電制御ＩＣ１２に入力され、充電制御ＩＣ１２を介して充電電池１３や印刷機構１４に補助的に電源を供給する。外部電源コネクター１１ａへＡＣアダプタ３１が接続されていることは、制御回路１９で検知が可能としている。
【００１６】
次に、前記構成からなる本実施形態の動作を説明する。
図２は、印刷装置における制御回路の処理手順をフローチャートにより示している。
制御回路１９は、ステップＳ１００にて、接続先はＰＣか否かを判断する。当初、第２スイッチ１８はデータ線を印刷機構１４に接続しておらず、制御回路１９は、第２スイッチ１８を介してＵＳＢコネクター１１のデータ線に接続されている。このため、ＵＳＢコネクター１１に何らかのＵＳＢ端子が接続されたときに、制御回路１９はＵＳＢ規格に準じて接続先と交信を開始する。交信を経て、制御回路１９は接続先がＰＣ２０であるのか、判断できる。簡易的な手法としてデータ線（Ｄ＋，Ｄ−）について、（Ｄ＋）≠（Ｄ−）である場合にＰＣに接続しているとの判断を行うことも可能である。交信はネゴシエーションを含んでおり、相手側がＰＣ２０であれば、制御回路１９は接続先の電源供給能力（給電能力）を問合せて返答を得る。例えば、単独で０．５Ａ、一つのハブで合計１．０Ａ以内などの返答を得る。
一方で、制御回路１９は、本印刷装置１０が、外部機器であって印刷装置（プリンターデバイス）であることを通知する。本印刷装置１０の電源消費量なども通知する。
【００１７】
接続先がＰＣ２０である場合は、ステップＳ１００の判断を経て、ステップＳ１０５にて、印刷機構１４がオンとなっているか否かを判断する。印刷機構１４をオンにするためには、プッシュ式の第３スイッチ１６を押し下げる。プッシュ式の第３スイッチは押し下げられている間だけ通電する。第３スイッチが押し下げられると、印刷機構１４は電源の供給を受けて起動する。起動する際の初期手順に従って起動するが、このときに起動状態となったことを制御回路１９に通知する。すると、制御回路１９は半導体スイッチである第１スイッチ１７をオン状態として保持させる。このため、操作者がプッシュ式の第３スイッチ１６から手を離してオフ状態となった後でも、第１スイッチ１７を介して電源が供給され続ける。なお、印刷機構１４を任意にオンとさせるためには、この他の手法も可能である。一例として、第３スイッチをプッシュ式でなく、トグル式とすることも可能である。
【００１８】
制御回路１９は、印刷機構１４がオンになっているか否かをその起動時から検出しており、ステップＳ１０５にて、印刷機構１４がオンとなっているかを判断できる。印刷機構１４がオンとなっている場合、制御回路１９は、ステップＳ１１５にて、給電能力が大きいか判断する。制御回路１９はＵＳＢコネクター１１の接続先とネゴシエーションを行っており、接続先がＰＣ２０の場合はその時点で電源供給能力を通知されている。給電能力が大きいか否かは、印刷機構１４と制御回路１９での消費電力を基準とする。ただし、制御回路１９の消費電力は基本的にわずかである。
【００１９】
例えば、印刷機構１４を駆動するときの消費電力が平均１．０Ａであるときに、ＰＣ２０の給電能力が１．０Ａであるとすると、印刷機構１４を駆動するのには十分であるが、充電電池１３に並行して充電する能力はない。従って、この場合は給電能力が大きくないと判断する。しかし、印刷機構１４を駆動するときの消費電力が平均１．０Ａであるときに、ＰＣ２０の給電能力が１．５Ａであるとすると、印刷機構１４を駆動するのには十分であるが、充電電池１３に並行して充電する能力があると言える。従って、この場合は給電能力が大きいと判断する。なお、印刷機構１４を駆動するときの消費電力が平均１．０Ａであるが、現在は印刷機構１４を駆動しておらず、消費電力が平均０．５Ａであるときに、ＰＣ２０の給電能力が１．０Ａであるとすると、印刷機構１４を駆動するのに不十分であるが、充電電池１３を並行して使用することができる状況では印刷機構１４の駆動は可能である。なお、以下においては、簡潔な表示のために、第１ＳＷ１７、第２ＳＷ１８、第４ＳＷ１６と表記する。
【００２０】
制御回路１９が給電能力が大であると判断した場合（第１の場合）は、ステップＳ１３０にて、第１ＳＷ１７をオン、第２ＳＷ１８をオン、第４ＳＷ１６をオンにする。
第１ＳＷ１７は印刷機構１４を起動する時点でオンとなっており、その時点での現状と変化はない。次に、第２ＳＷ１８をオンとする。第２ＳＷは、ＵＳＢコネクター１１のデータ線を印刷機構１４に接続することを意味しており、これによって印刷機構１４は電源の供給とデータの供給を受け、印刷処理を実施することができる。制御回路１９は印刷機構１４が起動しているか否かに応じてＰＣ２０とネゴシエーションを行っているので、ＰＣ２０は印刷機構１４と新たにネゴシエーションをすることはない。
【００２１】
また、制御回路１９は、第４ＳＷ１６をオンにする。第４ＳＷ１６は充電電池１３を充電制御ＩＣ１２から印刷機構１４への電源供給路に接続させることを意味する。すなわち、この状態では充電電池１３は充電制御ＩＣ１２を介して充電され、また、必要に応じて印刷機構１４に対して電源を供給することになる。
すなわち、給電能力が大であるときに、接続先がＰＣで、かつ、印刷機構１４がオンであるときは、印刷機構１４に電源を供給しつつ、充電電池１３にも電源を供給して充電を並行して行わせることになる。
【００２２】
次に、ステップＳ１１５にて、制御回路１９が接続先のＰＣ２０の給電能力が大でないと判断したときは、ステップＳ１２０にて、外部給電がないか判断する。ＰＣ２０の給電能力が大でないとしても、外部電源コネクター１１ａにＡＣアダプタ３１が接続されていることがある。この場合の処理として、本実施例では、給電能力が大であるのと同様とする。すなわち、印刷機構１４に電源を供給しつつ、充電電池１３にも電源を供給して充電を並行して行わせることになる。ＰＣ２０以外から電源を供給されているので、充電電池１３に充電する能力はあると判断するのである。
【００２３】
しかし、ステップＳ１２０にて、外部給電がない（第２の場合）と判断したときは、充電電池１３に充電する余力はないものと判断し、ステップＳ１３５にて、第１ＳＷ１７をオン、第２ＳＷ１８をオン、第４ＳＷ１６をオフにする。先の状況と異なるのは、第４ＳＷ１６をオフにする点であり、これにより充電電池１３は充電制御ＩＣ１２から印刷機構１４への電源供給路と絶たれるので、印刷機構１４での印刷と並行して充電することはなくなる。これにより、給電能力が大きくないＰＣ２０と接続されたときに給電能力を超えるような充電が行われなくなる。給電能力を超える電力の消費は、本来はＰＣ２０の側でも管理しており、給電能力を超える電力消費を検知すると周辺機器として使用できなくなる。このような状況を回避することがユーザの利便性を向上させることにつながる。
【００２４】
このように、本実施例では、ＰＣ２０の給電能力に応じて充電電池１３への充電を行うか否かを切り換えているが、必ずしも切り換えを要するわけではない。ＰＣ２０に接続されているときには、充電電池１３への充電を行うというように決めても構わない。
【００２５】
次に、ステップＳ１０５にて、印刷機構１４がオンでないと判断されたとき、制御回路１９は、ステップＳ１２５にて、ＰＣ２０に対してヒューマンインターフェイスデバイス（ＨＩＤ）として認識させる。具体的には、ＵＳＢが接続されたときに行われる初期処理において、自らがヒューマンインターフェイスデバイス（ＨＩＤ）クラスであるとしてＰＣ２０に通知する。接続先がＰＣ２０であるものの、印刷機構１４はオフの状態であるときは、主に充電電池１３の充電のために接続している。このため、電源の供給を受ける必要はあるがＰＣ２０において印刷装置であると認識するとユーザは印刷可能であると誤認する可能性がある。このため、印刷機構１４がオフであるときは、プリンターデバイスとしてではなく、ヒューマンインターフェイスデバイス（ＨＩＤ）として認識させている。もちろん、マスストレージ等の、ヒューマンインターフェイスデバイス（ＨＩＤ）以外の装置として認識させてもよいが、ＰＣ２０からの指示で何らかの処理を行うような装置ではないと認識させることが好ましい。
【００２６】
その後、制御回路１９は、ステップＳ１４０にて、第１ＳＷ１７をオフ、第２ＳＷ１８をオフ、第４ＳＷ１６をオンとする。第１ＳＷ１７は現状としてオフであるので、現状を維持し、第２ＳＷは印刷機構１４が作動していないのでオフとし、充電電池１３が充電されるように第４ＳＷ１６をオンとしている。
【００２７】
一方、ステップＳ１００にて、接続先がＰＣ２０でないと判断されたときも、制御回路１９は、まず、ステップＳ１１０にて、印刷機構１４がオンか判断する。ＵＳＢコネクター１１が接続された接続先がＰＣ２０でないと判断されるのは、ＵＳＢ規格に基づく交信の結果に基づく。また、簡易的な手法としてデータ線（Ｄ＋，Ｄ−）について、（Ｄ＋）＝（Ｄ−）である場合にＰＣ２０ではなくＡＣアダプタ３０が接続しているとの判断を行うことも可能である。ＰＣ２０以外のＡＣアダプタ３０であればネゴシエーションを実施できないので、ネゴシエーションができない場合に確認のために（Ｄ＋）＝（Ｄ−）であるかを確認しても良い。
【００２８】
その後、ステップＳ１０５の場合と同様にして、制御回路１９は、ステップＳ１１０にて印刷機構１４がオンであると判断すると、ステップＳ１４５にて、第１ＳＷ１７をオン、第２ＳＷ１８をオフ、第４ＳＷ１６をオンとする。ＡＣアダプタ３０を接続し、印刷機構１４をオンとするのは、有線でＰＣ２０と接続しないが、印刷は行なうという場合であり、例えば無線で受信したデータや、記憶素子カードなどから読み込んだデータに基づいて印刷しようとしている場合が該当する。第１ＳＷ１７は現状がオンであるので現状を維持しており、ＵＳＢコネクター１１からのデータの供給はないので、第２ＳＷ１８をオフとする。ＡＣアダプタ３０は通常は給電能力を考慮して選択されるので、ＡＣアダプタ３０を接続しているということは給電能力は大であるものとして、第４ＳＷ１６をオンとする。これにより、ＡＣアダプタ３０からＵＳＢコネクター１１と充電制御ＩＣ１２を経て充電電池１３に電源が供給され、充電される。
【００２９】
一方、ステップＳ１１０にて、印刷機構１４がオフであると判断すると、ステップＳ１５０にて、第１ＳＷ１７をオフ、第２ＳＷ１８をオフ、第４ＳＷ１６をオンとする。ＡＣアダプタ３０を接続し、印刷機構１４をオフとするのは、充電電池１３を充電することが目的の場合と考えられる。第１ＳＷ１７は現状がオフであるので現状を維持しており、ＵＳＢコネクター１１からのデータの供給はないので、第２ＳＷ１８をオフとするとともに、ＡＣアダプタ３０を接続しているということは充電させるためであると判断して第４ＳＷ１６をオンとする。これにより、ＡＣアダプタ３０からＵＳＢコネクター１１と充電制御ＩＣ１２を経て充電電池１３に電源が供給され、充電される。
【００３０】
この結果、印刷する必要がないときに、ＵＳＢコネクター１１にＡＣアダプタ３０を接続したとき、印刷機構１４はオフとした状態で、充電電池１３に充電させることができ、充電を早期に完了できる。印刷機構１４は、本来、印刷ヘッドを往復動させるなど、機構として駆動する消費電力が大きいため、印刷機構１４内で制御部を省電力のパーツだけでくみ上げるということも困難である。このため、印刷機構１４を駆動させない状態を生じさせることにより、早期の充電を行えるようになった。
【００３１】
上述した実施例では、印刷装置１０での充電電池の充電に関して説明している。しかし、印刷機能以外の機能をも有する印刷装置や、印刷機能を有しない外部機器においても適用可能である。とくに、このような外部機器の機能を発揮する機構がその性質上、省電力パーツでは構成しにくいような場合に、本来の機能部分をオフにさせることで、供給される電力を充電電池に集中させることにより、充電時間を劇的に短縮させることができるようになる。本実施例の印刷装置の場合、印刷機構１４を単独でオフにできない場合に比べると、充電時間はおよそ半分になった。
【００３２】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００３３】
１０…印刷装置、１１…ＵＳＢコネクター、１１ａ…外部電源コネクター、１２…充電制御ＩＣ、１３…充電電池、１４…印刷機構、１５…第４スイッチ（第４ＳＷ）、１６…第３スイッチ、１７…第１スイッチ（第１ＳＷ）、１８…第２スイッチ（第２ＳＷ）、１９…制御回路、２０…ＰＣ、３０…ＡＣアダプタ（電源アダプタ）、３１…ＡＣアダプタ（補助電源）。
【図１】
2015189025.tif 000003
【図２】
2015189025.tif 000004